(57)【要約】【課題】  非使用時は折り畳み収納が可能で携帯することができ、使用時に簡単に膨らませて迅速に装着できる安全性の高いガスマスクを提供することを目的とする。【解決手段】  気体Ｇの封入にて収縮状態から少なくとも周縁部が環状に膨らんで顔面を覆う袋状マスク本体１を備える。袋状マスク本体１の口鼻対応部に、浄化剤４を有する吸気口３が配設されている。袋状マスク本体１に、呼気の吹き入れを可能として袋状マスク本体１を膨らませる呼気吹き入れ口２が配設されている。【選択図】    図１
2005144020.tif 000002
【特許請求の範囲】
【請求項１】
気体（Ｇ）の封入にて収縮状態から少なくとも周縁部が環状に膨らんで顔面を覆う袋状マスク本体（１）を備え、該袋状マスク本体（１）の口鼻対応部に、浄化剤（４）を有する吸気口（３）が配設されたことを特徴とするガスマスク。
【請求項２】
上記浄化剤（４）が、シート状とされている請求項１記載のガスマスク。
【請求項３】
上記袋状マスク本体（１）に、呼気の吹き入れを可能として該袋状マスク本体（１）を膨らませる呼気吹き入れ口（２）が配設された請求項１又は２記載のガスマスク。
【請求項４】
上記袋状マスク本体（１）は、膨らんで顔面周縁部に密着させ顔面を包囲する膨張環状縁部（５）と、該膨張環状縁部（５）の内方に連設され透視窓（７）と吸気口（３）とを有する顔面対面部（６）と、を備え、装着状態で該顔面対面部（６）と顔面との間に空間部（８）が形成される請求項１，２又は３記載のガスマスク。
【請求項５】
非使用時には、全体が、密封された袋（16）内に折り畳み収納され、使用時において該袋（16）が破られて取り出され折り畳み収縮状態から膨らんで展開され装着される請求項１，２，３又は４記載のガスマスク。
【発明の詳細な説明】
【技術分野】
【０００１】
本発明は、ガスマスクに関するものである。
【背景技術】
【０００２】
従来のガスマスク（防毒マスク）は、ゴム製のマスク本体と、一対のゴーグル部と、マスク本体の吸気口部に接続され外気に含まれる有毒ガスや細菌等を呼吸の際に吸収（吸着）させてマスク内部への侵入を防止する吸収缶と、を備えたものがある（例えば、特許文献１参照）。
マスク本体は、厚さが厚く（厚さ５mm程度のゴム製であり）、予め顔の形に対応させた立体形状とされている。
そして、このガスマスクは、専用の布袋に収納され、その布袋を肩紐にて肩から掛けて持ち運びされている。
【特許文献１】特開２００３−１６４５３７公報
【発明の開示】
【発明が解決しようとする課題】
【０００３】
マスク本体は立体ゴム成形物であり、また、ゴーグル部は樹脂板製やガラス板製で、吸収缶は大きく、ガスマスク全体は大きく重いものである。
従って、従来のガスマスクは、小さく折り畳むのが不可能であり非常にかさばり、重いため、ガスマスク非使用時の持ち運びにおいては非常に邪魔となるという欠点がある。特に、一般向けに考えた場合に、このような大きな物を常に携帯するわけにはいかず、いざ必要な時に迅速に使用できないという欠点がある。
【０００４】
例えば、訪問先でのビル火災や、地下鉄・車の運転時のトンネル内での火災の際に、ガスマスクを携帯していないために使用できず、従来のガスマスクは、突発的な事態に対応できるというものではなかった。
また、吸収缶の吸収剤はガス等の浄化（吸収）量に制限があるが、浄化可能残量の判断は非常に困難で、残量が少ないといざというときに役に立たず危険であるという欠点がある。
【課題を解決するための手段】
【０００５】
本発明に係るガスマスクは、気体の封入にて収縮状態から少なくとも周縁部が環状に膨らんで顔面を覆う袋状マスク本体を備え、該袋状マスク本体の口鼻対応部に、浄化剤を有する吸気口が配設されたものである。
また、上記浄化剤が、シート状とされている。
また、上記袋状マスク本体に、呼気の吹き入れを可能として該袋状マスク本体を膨らませる呼気吹き入れ口が配設されたものである。
また、上記袋状マスク本体は、膨らんで顔面周縁部に密着させ顔面を包囲する膨張環状縁部と、該膨張環状縁部の内方に連設され透視窓と吸気口とを有する顔面対面部と、を備え、装着状態で該顔面対面部と顔面との間に空間部が形成される。
また、非使用時には、全体が、密封された袋内に折り畳み収納され、使用時において該袋が破られて取り出され折り畳み収縮状態から膨らんで展開され装着されるものである。
【発明の効果】
【０００６】
本発明のガスマスクによれば、非使用時は小さく折り畳み収納が可能で、かつ、軽量であり、いつでもどこへでも携帯することができる。従って、常に携帯することで、いつ発生するか予見不可能な突発的事態に対応可能であり、簡単かつ迅速に膨らませて装着できる。
マスク本体は内部の気体により弾力性があり、自由変形が可能で顔面に密着させることができる。従って、気密性を保持することが可能で、極めて安全なガスマスクが得られる。また、膨らんで立体構造となるため、ある程度の剛性があり、しっかりした装着状態が得られる。
封入する気体は呼気とされ、いつでもどこでもマスク本体を簡単かつ迅速に膨らませることができる。また、吸気口の浄化剤がシート状であるため、折り畳んでも吸気口にてかさばらず、ガスマスクがポケットにも収納可能であり、常に携帯することができる。
【発明を実施するための最良の形態】
【０００７】
図１と図２と図３は、本発明のガスマスクの実施の一形態を示す正面図、断面側面図、断面平面図であり、このガスマスクは、例えば大気中の微粒子、有毒ガス、刺激性ガスや細菌等から身を守るためのものであり、小さく折り畳んで携帯可能であるため、特に、非常用、避難用としてその効果を発揮することができるものである。
【０００８】
つまり、図１と図２と図３によれば、本発明のガスマスクは、気体Ｇの封入にて収縮状態から少なくとも周縁部が環状に膨らんで顔面を覆う袋状マスク本体１を備える。そして、袋状マスク本体１に、浄化剤（フィルター）４を有する吸気口３が配設されている。
なお、図示したマスク本体１は、周縁部が環状に膨らむものであるが、図示省略するが、周縁部が環状に膨らむのみならず、その内方の部位が気体Ｇの充填により膨らんでもよい。
【０００９】
また、図示したマスク本体１は、膨らんで顔面に対して略平面状となるもの（準平面的）であるが、図示省略するが、膨らんで顔（頭）の形状に対応した立体形状になる────顎部、頭部、耳部までを覆うよう３次元の面部を持つ────ものであってもよい。
さらに、正面視における全体形状は、矩形以外にも、多角形、円形、楕円形等としてもよく、膨らんだ部分が顔面に環状に密着して顔面を覆うものであればよい。
【００１０】
さらに説明すると、袋状マスク本体１は、膨らんで顔面周縁部に密着させ顔面を包囲する膨張環状縁部５と、膨張環状縁部５の内方に連設され透視窓７と吸気口３とを有する顔面対面部６と、を備えている。そして、図２と図３に示すように、ガスマスク装着状態で顔面対面部６と顔面との間に空間部８が形成されている。
つまり、顔面対面部６は、膨張環状縁部５の内周孔部９において顔面から離れた外方寄りで膨張環状縁部５と接続されている。なお、膨張環状縁部５と顔面対面部６とは、別部材で熱融着（溶着）や接着にて一体状としてもよく、又は、共通のシート素材から作製してもよい。
【００１１】
顔面対面部６は、（一部に）気体Ｇが充填されてもよいが、袋状マスク本体１の膨張環状縁部５の内周孔部９全体を蓋（被覆）して、膨張環状縁部５と共に、顔面に装着した状態で、（給排気部を除いて）内部に密閉空間（空間部８）を形成するシート状部材である。そして、この袋状マスク本体１の内周孔部９にある顔面対面部６の目対応部に、透明素材からなり、ゴーグル部（レンズ部）となる透視窓７が形成されている。
【００１２】
ガスマスク装着状態で顔面対面部６と顔面との間に形成される密閉された空間部８についてさらに説明すると、ガスマスクを装着した状態で、顔面対面部６と口（鼻）との間には、呼吸空間部13が形成され、呼吸によりマスク本体１が動いてずれることがなく、また呼吸を助けている。
また、顔面対面部６と目との間には、視覚用空間部14が形成されている。
【００１３】
マスク本体１は、透明又は不透明、有色又は無色いずれでもよいが、顔面対面部６を透明な部材とし、顔面対面部６の目対応部をそのまま透視窓７とすればよい。又は、顔面対面部６の大部分は有色の部材とし、目対応部を透明のシートとしてもよい。
【００１４】
また、図４は、本発明のガスマスクの他の実施の形態であり、このマスクは、顔面対面部６の目対応部に透明素材からなる一対の透視窓７，７が形成されている。このガスマスクの場合、透視窓７，７のみを透明とし、他部を有色としてもよい。
【００１５】
マスク本体１の材質は、有毒ガス等を通さず可撓性のある材質で樹脂やゴムが使用される。例えば、樹脂シート素材やゴムシート素材を袋状、所定シート形状にしたものが使用される。なお、軽量化のために、薄い樹脂シート（ビニールシート）が好ましく、ポリエチレン、ナイロン、ポリプロピレンや、これらの積層体としてもよい。また、耐熱性のある材料とするのが好ましい。
【００１６】
マスク本体１は膨張状態で、装着した際の吸気圧力と排気圧力による変形に対して抵抗できる程度の剛性を有し、内部の空間部８（呼吸空間部13）を確保できる。
さらに、この素材となる樹脂シートに、ガラスや炭素繊維層を積層させ、強度の強いものとしてもよい。
【００１７】
吸気口３は浄化剤４を有するものであり、視界の妨げにならない場所に設ければよいが、図示するように、袋状マスク本体１の口鼻対応部に配設されている。
浄化剤４は、１〜５mm厚のシート状とされるのが好ましい。図２に示すように顔面対面部６に孔10を設け、その孔10を塞ぐようシート状の浄化剤４を配設し、通気孔（図示省略）を有する保護シート11により浄化剤４をラップして保持し吸気口３を構成すればよい。  さらに、顔面対面部６に、保護シート11にて（封止機能付き）ポケット部を形成し、浄化剤４を出し入れ自在とし、浄化剤４のみを使い捨て形式にしてもよい。
【００１８】
また、吸気口３は、シート状の浄化剤４を備える形態以外のものでもよく、図４に示すように、直結式小型（薄型）吸収缶15を顔面対面部６に形成した孔に固定して、吸気口３を構成してもよい。
浄化剤４としては、ガス、細菌等を吸収、吸着する吸収（吸着）剤、濾過するもの、化学的な反応により無害化させるもの等が含まれる。さらには、これら複数の作用を有する浄化剤４（複数を積層させたシート状浄化剤４）としてもよい。
【００１９】
袋状マスク本体１に封入する気体Ｇは、空気や窒素ガス等があるが、利便性の面で呼気とするのが好ましい。
袋状マスク本体１には、呼気（息）の吹き入れを可能としてマスク本体１を膨らませる呼気吹き入れ口２が配設されている。呼気吹き入れ口２は、逆止弁又は栓を有するものとし、一端封入された気体Ｇ（呼気）はマスク本体１から抜け出ないようにしている。
呼気吹き入れ口２は、例えば、膨張環状縁部５の膜（シート）の一部をそのまま利用して口部を形成したものや、図示省略するが、一般的な浮輪にて使用される栓付き給排気口を用いることができる。
【００２０】
なお、袋状マスク本体１への気体Ｇの充填は、これ以外に、図示省略するが、別途用意した気体発生手段にて行わせてもよい。気体発生手段は、小型のボンベに圧縮ガスを予め充填させたものや、化学反応にてガスを発生させるもの等であり、公知のものが利用できる。そして、マスク本体１内部に設けた、又は、マスク本体１に設けた口部に接続させた、気体発生手段により、気体Ｇの充填を行ってもよい。
【００２１】
さらには、気体発生手段と呼気吹き入れ口２との併用としてもよい。これにより、気体発生手段にて迅速に気体Ｇをマスク本体１に充填し膨張状態を得ることができ、さらには、気体Ｇが不足する場合は、呼気吹き入れ口２から呼気を追加することで、所定の形状までマスク本体１を膨らませることができる。
【００２２】
また、マスク本体１には、頭部にマスク本体１を固定（装着）させるベルト12を備える。ベルト12は、伸縮自在な部材、例えばゴムバンドとされ、弾発的にマスク本体１を顔面に押圧させ全周にわたって密着性を確保させ、しっかりとマスク本体１を頭部に固定させる。
さらに、マスク本体１には、排気弁（図示省略）を設けてもよい。吸気口３から（多少の）排気は可能であるが、排気弁により呼吸を容易にし、また息に含まれる水分にてガスマスク内部が曇らないよう、効率よく排気させている。
【００２３】
本発明のガスマスクは、図５に示すように、非使用時には、全体が、密封された袋16内に小さく折り畳み収納され、そして、使用時において袋16が破られて取り出され、折り畳み収縮状態から膨らんで展開され装着されるものである。
そして、折り畳み状態では、マスク本体１が薄いシートからなるため、容積が小さく（薄く折り畳みが可能で）、衣服のポケット内に収納が可能となり、鞄に入れて持ち運ぶよりも携帯性は向上する。さらに、重量負担を感じさせない超軽量とできる。なお、袋16内を真空にして密封してもよい。
【００２４】
さらに、安価にて作製可能であり、ガスマスク全体又は浄化剤４を使い捨て形式とすることもできる。使用後のメンテナンス（除菌、消毒）が不要で、廃棄処理することで済み、使用後の伝染防止も可能となる。
【００２５】
マスク本体１は、風船状であり（空気袋式であり）、内部の気体Ｇにより弾力性を有することで顔面への密着性が良く、外界（大気側）とマスク本体１の内方空間（空間部８）との間に気体通路を形成せず、気密性が高い。また、装着時のフィット感が良く、重量負担も小さく、子供から老人まで幅広く利用できる。
【００２６】
以上のように、本発明によれば、気体Ｇの封入にて収縮状態から少なくとも周縁部が環状に膨らんで顔面を覆う袋状マスク本体１を備え、袋状マスク本体１の口鼻対応部に、浄化剤４を有する吸気口３が配設されたものであるため、非使用時は折り畳み収納が可能で、軽量であり、いつでもどこへでも携帯することができる。
【００２７】
従って、常に身につけて携帯することで、いつ発生するか予見不可能な突発的事態に対応可能であり、簡単かつ迅速に膨らませて装着できる。
マスク本体１は内部の気体Ｇにより弾力性があり、自由変形が可能で顔面に密着させることができる。従って、気密性を保持することが可能で、極めて安全なガスマスクが得られる。また、膨らんで立体構造となるため、ある程度の剛性があり、しっかりと装着できる。  
【００２８】
また、浄化剤４が、シート状とされているため、折り畳んでも吸気口３にてかさばらず、ガスマスク全体がポケットにも収納可能であり、常に身につけて携帯することができる。
また、袋状マスク本体１に、呼気の吹き入れを可能として袋状マスク本体１を膨らませる呼気吹き入れ口２が配設されたものであるため、いつでもどこでもマスク本体１を簡単かつ迅速に膨らませることができ、緊急時に迅速に装着できる。
【００２９】
また、袋状マスク本体１は、膨らんで顔面周縁部に密着させ顔面を包囲する膨張環状縁部５と、膨張環状縁部５の内方に連設され透視窓７と吸気口３とを有する顔面対面部６と、を備え、装着状態で顔面対面部６と顔面との間に空間部８が形成されるため、装着状態での違和感、窮屈感を無くし、また、呼吸によりマスク本体１が動いてずれることがなく、さらに呼吸を助けることができる。
【００３０】
また、非使用時には、全体が、密封された袋16内に折り畳み収納され、使用時において袋16が破られて取り出され折り畳み収縮状態から膨らんで展開され装着されるため、使用状態で必ずガスマスク（浄化剤４）は新品である。また、保管状態で浄化剤４が劣化することがない。
従って、浄化剤４はガス等の処理量に制限があるが、処理可能残量の判断（点検、記録）が不要となり、残量が少なく、いざガスマスクが必要というときに役に立たないという事態を防止できる。つまり、信頼性の高いガスマスクとできる。
【図面の簡単な説明】
【００３１】
【図１】本発明のガスマスクの実施の一形態を示す正面図である。
【図２】図１の断面側面図である。
【図３】図１の断面平面図である。
【図４】本発明のガスマスクの他の実施の形態を示す正面図である。
【図５】ガスマスクの使用を説明する説明図である。
【符号の説明】
【００３２】
１  マスク本体
２  呼気吹き入れ口
３  吸気口
４  浄化剤
５  膨張環状縁部
６  顔面対面部
７  透視窓
８  空間部
Ｇ  気体
【図１】
2005144020.tif 000003
【図２】
2005144020.tif 000004
【図３】
2005144020.tif 000005
【図４】
2005144020.tif 000006
【図５】
2005144020.tif 000007